(57)【特許請求の範囲】
【請求項１】
無線通信網との間でデータを送受する通信手段と、
前記無線通信網を介してＩＰパケット通信を行う無線端末装置からのＩＰアドレス取得要求の受信により、ＩＰアドレスを割当てて応答し、割当て済みのＩＰアドレスを管理するＩＰアドレス管理手段とを備え、
前記ＩＰアドレス管理手段は、
前記無線通信網と無線端末装置との間の通信接続の切断通知を受信すると、この受信時点から一定期間の経過後に、当該無線端末装置に割当てているＩＰアドレスを解放するものであって、
前記無線通信網で使用可能な全ＩＰアドレスについて、それぞれに割当先の端末識別情報と、割当て済みであることを示す割当済みフラグとを記憶するＩＰアドレス管理テーブルを有し、
ＩＰアドレスの割当て時に前記ＩＰアドレス管理テーブルの当該ＩＰアドレスに対応する端末識別情報を設定するとともに割当済みフラグをオンにし、
ＩＰアドレスの解放時に前記ＩＰアドレス管理テーブルの当該ＩＰアドレスに対応する割当済みフラグをオフにする
ことを特徴とするＩＰアドレス管理装置。
【請求項２】
前記ＩＰアドレス管理手段は、前記切断通知の受信時点から前記一定期間の経過以前に、当該切断通知に該当する無線端末装置からのＩＰアドレス取得要求を受信すると、該無線端末装置に対して既に割当て済みのＩＰアドレスを応答する
ことを特徴とする請求項１に記載のＩＰアドレス管理装置。
【請求項３】
無線通信網を介してＩＰパケット通信を行う無線端末装置からのＩＰアドレス取得要求を受信する第１の過程と、
このＩＰアドレス取得要求により、ＩＰアドレスを割当てて応答する第２の過程と、
前記無線通信網と無線端末装置との間の通信接続の切断通知を受信する第３の過程と、
この切断通知の受信時点から一定期間の経過後に、当該無線端末装置に割当てているＩＰアドレスを解放する第４の過程と、
前記無線通信網で使用可能な全ＩＰアドレスについて、それぞれに割当先の端末識別情報と、割当て済みであることを示す割当済みフラグとを記憶するＩＰアドレス管理テーブルを管理する第５の過程とを含み、
前記第５の過程において、
前記第２の過程によるＩＰアドレスの割当て時に前記ＩＰアドレス管理テーブルの当該ＩＰアドレスに対応する端末識別情報を設定するとともに割当済みフラグをオンにし、
前記第４の過程によるＩＰアドレスの解放時に前記ＩＰアドレス管理テーブルの当該ＩＰアドレスに対応する割当済みフラグをオフにする
ことを特徴とするＩＰアドレス管理方法。
【請求項４】
前記切断通知の受信時点から前記一定期間の経過以前に、当該切断通知に該当する無線端末装置からのＩＰアドレス取得要求を受信すると、該無線端末装置に対して既に割当て済みのＩＰアドレスを応答する過程
をさらに含むことを特徴とする請求項３に記載のＩＰアドレス管理方法。
【請求項５】
無線通信網を介してＩＰパケット通信を行う無線端末装置からのＩＰアドレス取得要求を受信する第１の処理と、
このＩＰアドレス取得要求により、ＩＰアドレスを割当てて応答する第２の処理と、
前記無線通信網と無線端末装置との間の通信接続の切断通知を受信する第３の処理と、
この切断通知の受信時点から一定期間の経過後に、当該無線端末装置に割当てているＩＰアドレスを解放する第４の処理と、
前記無線通信網で使用可能な全ＩＰアドレスについて、それぞれに割当先の端末識別情報と、割当て済みであることを示す割当済みフラグとを記憶するＩＰアドレス管理テーブルを管理する第５の処理とをコンピュータに実行させるコンピュータプログラムであり、
前記第５の処理において、
前記第２の処理によるＩＰアドレスの割当て時に前記ＩＰアドレス管理テーブルの当該ＩＰアドレスに対応する端末識別情報を設定するとともに割当済みフラグをオンにし、
前記第４の処理によるＩＰアドレスの解放時に前記ＩＰアドレス管理テーブルの当該ＩＰアドレスに対応する割当済みフラグをオフにする
ことを特徴とするコンピュータプログラム。
【請求項６】
前記切断通知の受信時点から前記一定期間の経過以前に、当該切断通知に該当する無線端末装置からのＩＰアドレス取得要求を受信すると、該無線端末装置に対して既に割当て済みのＩＰアドレスを応答する処理
をさらにコンピュータに実行させることを特徴とする請求項５に記載のコンピュータプログラム。
【発明の詳細な説明】
【０００１】
【発明の属する技術分野】
本発明は、無線通信網を介してＩＰパケット通信を行う無線端末装置に対してＩＰアドレスを割当てて管理するＩＰアドレス管理装置及びＩＰアドレス管理方法、並びにそのＩＰアドレス管理装置をコンピュータを利用して実現するためのコンピュータプログラムに関する。
【０００２】
【従来の技術】
従来、無線端末装置が無線通信網を介してＩＰパケット通信を行う際に、無線端末装置に対してＩＰアドレスを動的に割当てて管理することが成されている。例えば、無線端末装置がＰＰＰプロトコルに従って開設されるＰＰＰリンクによりデータ通信を行う無線データ通信システムにおいては、無線端末装置のハンドオーバの発生によりＰＰＰリンクが解放され、この解放されたＰＰＰリンクを再開設することがある。このような場合、従来のＩＰアドレス管理方法は、無線端末装置のハンドオーバの発生を検出し、この検出によりＰＰＰリンク解放前に割当てていたＩＰアドレスと同じアドレスを当該無線端末装置に再び割当てている（例えば、特許文献１参照）。
【０００３】
【特許文献１】
特開平１０−１７８４６２号公報
【０００４】
【発明が解決しようとする課題】
しかし、上述した従来のＩＰアドレス管理方法では、無線端末装置のハンドオーバの発生を検出しているので、ハンドオーバ以外の要因によりＰＰＰリンクが解放された場合には、ＰＰＰリンク解放前に割当てていたＩＰアドレスと同じアドレスが再び割当てられる保証はない。このため、異なるＩＰアドレスが割当てられると、ＰＰＰリンクの再開設後に、解放前のＩＰアドレスに基づいたパケット再送を行うことができなくなり、この結果、データの転送効率が悪くなるという問題がある。
【０００５】
本発明は、このような事情を考慮してなされたもので、その目的は、ハンドオーバに限定せず、いずれの要因により無線端末装置と無線通信網との通信接続（例えばＰＰＰリンク）が切断しても、切断前と同じＩＰアドレスを継続して無線端末装置に割当てることができるＩＰアドレス管理装置及びＩＰアドレス管理方法を提供することにある。
【０００６】
また、本発明は、ＩＰアドレスを有効に活用することができるＩＰアドレス管理装置及びＩＰアドレス管理方法を提供することも目的とする。
【０００７】
また、本発明は、そのＩＰアドレス管理装置をコンピュータを利用して実現するためのコンピュータプログラムを提供することも目的とする。
【０００８】
【課題を解決するための手段】
上記の課題を解決するために、請求項１に記載のＩＰアドレス管理装置は、無線通信網との間でデータを送受する通信手段と、前記無線通信網を介してＩＰパケット通信を行う無線端末装置からのＩＰアドレス取得要求の受信により、ＩＰアドレスを割当てて応答し、割当て済みのＩＰアドレスを管理するＩＰアドレス管理手段とを備え、前記ＩＰアドレス管理手段は、前記無線通信網と無線端末装置との間の通信接続の切断通知を受信すると、この受信時点から一定期間の経過後に、当該無線端末装置に割当てているＩＰアドレスを解放するものであって、前記無線通信網で使用可能な全ＩＰアドレスについて、それぞれに割当先の端末識別情報と、割当て済みであることを示す割当済みフラグとを記憶するＩＰアドレス管理テーブルを有し、ＩＰアドレスの割当て時に前記ＩＰアドレス管理テーブルの当該ＩＰアドレスに対応する端末識別情報を設定するとともに割当済みフラグをオンにし、ＩＰアドレスの解放時に前記ＩＰアドレス管理テーブルの当該ＩＰアドレスに対応する割当済みフラグをオフにすることを特徴とする。
【０００９】
この発明によれば、通信接続の切断通知の受信時点から一定期間は、当該切断通知に該当する無線端末装置に現在割当中のＩＰアドレスが該無線端末装置に割当済みのまま確保される。この結果として、ハンドオーバに限定せず、トンネル内や建物内への進入等による電波状態の劣化など、いずれの要因により無線端末装置と無線通信網との間の通信接続が切断しても、切断前と同じＩＰアドレスを継続して当該無線端末装置に割当てることが可能となる。さらに、切断通知の受信時点から一定期間の経過後には、当該無線端末装置に割当てているＩＰアドレスが解放されるので、ＩＰアドレスを有効に活用することができる。
【００１０】
請求項２に記載のＩＰアドレス管理装置においては、前記ＩＰアドレス管理手段は、前記切断通知の受信時点から前記一定期間の経過以前に、当該切断通知に該当する無線端末装置からのＩＰアドレス取得要求を受信すると、該無線端末装置に対して既に割当て済みのＩＰアドレスを応答することを特徴とする。
【００１１】
この発明によれば、通信接続の切断通知の受信時点から一定期間内に、当該断通知に該当する無線端末装置からのＩＰアドレス取得要求を受信した場合には、既に割当て済みのＩＰアドレスが応答されるので、ＩＰアドレスの再割当の処理が不要となり、応答時間を短縮することができる。
【００１２】
請求項３に記載のＩＰアドレス管理方法は、無線通信網を介してＩＰパケット通信を行う無線端末装置からのＩＰアドレス取得要求を受信する第１の過程と、このＩＰアドレス取得要求により、ＩＰアドレスを割当てて応答する第２の過程と、前記無線通信網と無線端末装置との間の通信接続の切断通知を受信する第３の過程と、この切断通知の受信時点から一定期間の経過後に、当該無線端末装置に割当てているＩＰアドレスを解放する第４の過程と、前記無線通信網で使用可能な全ＩＰアドレスについて、それぞれに割当先の端末識別情報と、割当て済みであることを示す割当済みフラグとを記憶するＩＰアドレス管理テーブルを管理する第５の過程とを含み、前記第５の過程において、前記第２の過程によるＩＰアドレスの割当て時に前記ＩＰアドレス管理テーブルの当該ＩＰアドレスに対応する端末識別情報を設定するとともに割当済みフラグをオンにし、前記第４の過程によるＩＰアドレスの解放時に前記ＩＰアドレス管理テーブルの当該ＩＰアドレスに対応する割当済みフラグをオフにすることを特徴とする。
【００１３】
請求項４に記載のＩＰアドレス管理方法においては、前記切断通知の受信時点から前記一定期間の経過以前に、当該切断通知に該当する無線端末装置からのＩＰアドレス取得要求を受信すると、該無線端末装置に対して既に割当て済みのＩＰアドレスを応答する過程をさらに含むことを特徴とする。
【００１４】
請求項５に記載のコンピュータプログラムは、無線通信網を介してＩＰパケット通信を行う無線端末装置からのＩＰアドレス取得要求を受信する第１の処理と、このＩＰアドレス取得要求により、ＩＰアドレスを割当てて応答する第２の処理と、前記無線通信網と無線端末装置との間の通信接続の切断通知を受信する第３の処理と、この切断通知の受信時点から一定期間の経過後に、当該無線端末装置に割当てているＩＰアドレスを解放する第４の処理と、前記無線通信網で使用可能な全ＩＰアドレスについて、それぞれに割当先の端末識別情報と、割当て済みであることを示す割当済みフラグとを記憶するＩＰアドレス管理テーブルを管理する第５の処理とをコンピュータに実行させるコンピュータプログラムであり、前記第５の処理において、前記第２の処理によるＩＰアドレスの割当て時に前記ＩＰアドレス管理テーブルの当該ＩＰアドレスに対応する端末識別情報を設定するとともに割当済みフラグをオンにし、前記第４の処理によるＩＰアドレスの解放時に前記ＩＰアドレス管理テーブルの当該ＩＰアドレスに対応する割当済みフラグをオフにすることを特徴とする。
【００１５】
請求項６に記載のコンピュータプログラムにおいては、前記切断通知の受信時点から前記一定期間の経過以前に、当該切断通知に該当する無線端末装置からのＩＰアドレス取得要求を受信すると、該無線端末装置に対して既に割当て済みのＩＰアドレスを応答する処理をさらにコンピュータに実行させることを特徴とする。
これにより、前述のＩＰアドレス管理装置がコンピュータを利用して実現できるようになる。
【００１６】
【発明の実施の形態】
以下、図面を参照し、本発明の一実施形態について説明する。
図１は、本発明の一実施形態によるＩＰアドレス管理サーバ（ＩＰアドレス管理装置）を適用した無線データ通信システムの構成例を示すブロック図である。この図１に示す無線データ通信システムは、無線通信網として携帯電話網を利用し、その無線端末装置である携帯電話機とサーバ間でＩＰパケット通信を行うものである。
【００１７】
図１において、携帯電話機１ａは無線基地局２ａと通信している。携帯電話機１ｂは無線基地局２ｂと通信している。無線基地局２ａ，２ｂは携帯電話網３に接続されている。携帯電話網３は中継装置４に接続されている。中継装置４は、携帯電話網３とＩＰ網５の双方に接続されている。中継装置４は、携帯電話網３とＩＰ網５のプロトコルを相互に変換する。この中継装置４を経由することにより、携帯電話網３側の端末とＩＰ網５側のサーバは相互にデータを送受することができる。
【００１８】
ＩＰアドレス管理サーバ６はＩＰ網５に接続されている。ＩＰアドレス管理サーバ６は、図１の無線データ通信システムで使用可能なＩＰアドレスを管理する。コンテンツサーバ７はＩＰ網５に接続されている。コンテンツサーバ７は端末からのアクセスを受け、コンテンツデータのダウンロード等、各種サービスを提供する。
【００１９】
図２は、図１に示すＩＰアドレス管理サーバ６の構成を示すブロック図である。図２において、通信部１１はＩＰ網５に接続されており、ＩＰパケット通信により中継装置４とデータを送受する。管理部１２はＩＰアドレスの管理処理を行う。管理部１２はタイマ機能を有している。ＩＰアドレス管理テーブル１３は、図１の無線データ通信システムで使用可能なＩＰアドレスの各々について管理するための管理情報を記憶する。ＩＰアドレス管理テーブル１３は管理部１２からアクセス可能である。
【００２０】
図３は、図２に示すＩＰアドレス管理テーブル１３の構成例を示す図である。図３において、ＩＰアドレス管理テーブル１３には、図１の無線データ通信システムで使用可能な全ＩＰアドレスについて、それぞれに割当先の端末識別情報（端末ＩＤ）と、割当て済みであることを示す割当済みフラグとが設定される。
【００２１】
図３に示す例では、ＩＰアドレス「ＡＡＡ．ＢＢＢ．ＣＣＣ．００１」が端末ＩＤ「ＸＸＸ１」の携帯電話機に割当済みである。他方、ＩＰアドレス「ＡＡＡ．ＢＢＢ．ＣＣＣ．０１０」は、いずれの携帯電話機にも割当てられていない。
【００２２】
次に、図４、図５を参照して、上記ＩＰアドレス管理サーバ６が行うＩＰアドレス管理に係る動作を説明する。図４，図５は、図１の無線データ通信システムにおけるＩＰアドレス管理処理の流れを示すシーケンスチャートである。
【００２３】
まず、図４において、携帯電話機１ａの使用者がコンテンツサーバ７にアクセスするための操作を行うと、携帯電話機１ａはＰＰＰ（Point-to-Point Protocol）により認証要求を中継装置４へ送信する。このＰＰＰ認証要求は、ＩＰアドレス取得要求に対応しており、携帯電話機１ａの端末ＩＤを含んでいる（ステップＳ１）。次いで、そのＰＰＰ認証要求は中継装置４を介してＩＰアドレス管理サーバ６へ送信される（ステップＳ２）。
【００２４】
次いで、ＩＰアドレス管理サーバ６の管理部１２は、通信部１１を介してその認証要求を受信すると、ＩＰアドレス管理テーブル１３を検索し、受信した認証要求に含まれる携帯電話機１ａの端末ＩＤに既に割当済みのＩＰアドレスが有るか調べる。この結果、該端末ＩＤに割当済みのＩＰアドレスが無かった場合に、割当済みフラグがオフである未割当のＩＰアドレスの中から、ランダムに一つのＩＰアドレス（ＩＰアドレスＡとする）を選択する。そして、この選択したＩＰアドレスに対応する端末ＩＤの欄に携帯電話機１ａの端末ＩＤを設定し、当該割当済フラグをオンにする（ステップＳ３）。次いで、管理部１２は、ＩＰアドレスＡを認証応答に含めて中継装置４に送信する（ステップＳ４）。
【００２５】
次いで、その認証応答（ＩＰアドレスＡ）は中継装置４を介して携帯電話機１ａへ送信される（ステップＳ５）。次いで、ＩＰアドレス管理サーバ６は、中継装置４から課金開始通知を受信すると、その応答を返信する（ステップＳ６、Ｓ７）。この課金開始通知は、携帯電話機１ａの通信接続の開始通知に対応する。携帯電話機１ａは、自己のＩＰアドレスＡを使用して、コンテンツサーバ７との間でＩＰパケット通信を行う（ステップＳ８）。
【００２６】
次いで、例えば携帯電話機１ａの使用者が図１のトンネル６に入り、これにより携帯電話機１ａと携帯電話網３との間の通信接続（ＰＰＰリンク）が切断されると、中継装置４により課金終了通知がＩＰアドレス管理サーバ６へ送信される（ステップＳ９）。この課金終了通知は、携帯電話機１ａの通信接続の切断通知に対応しており、携帯電話機１ａの端末ＩＤを含んでいる。
【００２７】
次いで、ＩＰアドレス管理サーバ６の管理部１２は、通信部１１を介してその課金終了通知を受信すると、タイマをスタートする（ステップＳ１０）。このタイマ期間は、通信の一時的な中断に対応する期間として設定されるものであり、例えば３分間である。そして、その課金終了通知に対する応答を送信する（ステップＳ１１）。
【００２８】
次いで、携帯電話機１ａの使用者がトンネル６から出て、これにより携帯電話機１ａと携帯電話網３との間の通信接続（ＰＰＰリンク）が可能となる。そして、コンテンツサーバ７にアクセスするために、携帯電話機１ａがＰＰＰ認証要求（ＩＰアドレス取得要求）を中継装置４へ送信する（ステップＳ１２）。このＰＰＰ認証要求は中継装置４を介してＩＰアドレス管理サーバ６へ送信される（ステップＳ１３）。
【００２９】
次いで、ＩＰアドレス管理サーバ６の管理部１２は、通信部１１を介してその認証要求（ＩＰアドレス取得要求）を受信する。この受信時点では、上記ステップＳ１０でスタートしたタイマは満了していない。次いで、管理部１２は、ＩＰアドレス管理テーブル１３を検索し、受信した認証要求に含まれる携帯電話機１ａの端末ＩＤに既に割当済みのＩＰアドレスが有るか調べる。この結果、該端末ＩＤには既に割当済みのＩＰアドレスＡが有るので、このＩＰアドレスＡを認証応答に含めて中継装置４に送信するとともに、上記ステップＳ１０でスタートしたタイマを停止する（ステップＳ１４、Ｓ１５）。
【００３０】
次いで、その認証応答（ＩＰアドレスＡ）は中継装置４を介して携帯電話機１ａへ送信される（ステップＳ１６）。次いで、ＩＰアドレス管理サーバ６は、中継装置４から課金開始通知を受信すると、その応答を返信する（ステップＳ１７、Ｓ１８）。携帯電話機１ａは、通信接続の切断前のＩＰアドレスと同じＩＰアドレスＡを使用して、コンテンツサーバ７との間でＩＰパケット通信を再開する（ステップＳ１９）。これにより、携帯電話機１ａは、通信接続の切断前のＩＰアドレスＡに基づいて、コンテンツサーバ７との間でパケット再送を行うことができる。
【００３１】
次に、図５を参照して、上記図４のステップＳ１０でスタートしたタイマが満了した場合について説明する。
図５において、ＩＰアドレス管理サーバ６の管理部１２は、ステップＳ１０でスタートしたタイマが満了すると（ステップＳ２１）、ＩＰアドレス管理テーブル１３において、ステップＳ９で受信した課金終了通知に含まれる携帯電話機１ａの端末ＩＤに割当済みのＩＰアドレスＡの割当済フラグをオフにする（ステップＳ２２）。これにより、携帯電話機１ａに割当てられていたＩＰアドレスＡは解放されるので、再利用が可能となり、ＩＰアドレスを有効に活用がすることができるという効果が得られる。
【００３２】
上述したように本実施形態によれば、無線通信網（携帯電話網）と無線端末装置（携帯電話機）との間の通信接続（ＰＰＰリンク）の切断通知（課金終了通知）を受信すると、この受信時点から一定期間の経過後に、当該無線端末装置に割当てているＩＰアドレスを解放する。これにより、通信接続の切断通知の受信時点から一定期間は、当該切断通知に該当する無線端末装置に現在割当中のＩＰアドレスが該無線端末装置に割当済みのまま確保される。この結果として、図１の無線基地局２ａから無線基地局２ｂ等へのハンドオーバに限定せず、トンネル内や建物内への進入等による電波状態の劣化など、いずれの要因により無線端末装置と無線通信網との間の通信接続が切断しても、切断前と同じＩＰアドレスを継続して当該無線端末装置に割当てることが可能となる。さらに、切断通知の受信時点から一定期間の経過後には、当該無線端末装置に割当てているＩＰアドレスが解放されるので、ＩＰアドレスを有効に活用することができる。
【００３３】
また、通信接続の切断通知の受信時点から一定期間内に、当該断通知に該当する無線端末装置からのＩＰアドレス取得要求を受信した場合には、既に割当て済みのＩＰアドレスが応答されるので、ＩＰアドレスの再割当の処理が不要となり、応答時間を短縮することができる。
【００３４】
なお、上述した実施形態においては、無線通信網の一例として携帯電話網を挙げて説明したが、無線ＬＡＮ等の他の無線通信網にも同様に適用することができる。
【００３５】
また、無線端末装置としては、上述した携帯電話機の他、ＰＤＡ（Personal Digital Assistants：個人用情報機器）と称される携帯型の端末あるいはパーソナルコンピュータ等の端末と無線通信機とが組み合わせて構成されるものであってもよい。
【００３６】
なお、上述した実施形態においては、図２の通信部１１が通信手段に対応する。また、管理部１２とＩＰアドレス管理テーブル１３がＩＰアドレス管理手段に対応する。
【００３７】
また、図４、図５に示すＩＰアドレス管理サーバ６が行う各ステップを実現するためのプログラムをコンピュータ読み取り可能な記録媒体に記録して、この記録媒体に記録されたプログラムをコンピュータシステムに読み込ませ、実行することによりＩＰアドレス管理処理を行ってもよい。なお、ここでいう「コンピュータシステム」とは、ＯＳや周辺機器等のハードウェアを含むものであってもよい。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【００３８】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００３９】
以上、本発明の実施形態を図面を参照して詳述してきたが、具体的な構成はこの実施形態に限られるものではなく、本発明の要旨を逸脱しない範囲の設計変更等も含まれる。
【００４０】
【発明の効果】
以上説明したように、本発明によれば、通信接続の切断通知の受信時点から一定期間は、当該切断通知に該当する無線端末装置に現在割当中のＩＰアドレスが該無線端末装置に割当済みのまま確保される。この結果として、ハンドオーバに限定せず、トンネル内や建物内への進入等による電波状態の劣化など、いずれの要因により無線端末装置と無線通信網との間の通信接続が切断しても、切断前と同じＩＰアドレスを継続して当該無線端末装置に割当てることが可能となる。さらに、切断通知の受信時点から一定期間の経過後には、当該無線端末装置に割当てているＩＰアドレスが解放されるので、ＩＰアドレスを有効に活用することができる。
【００４１】
また、請求項２に記載の発明によれば、通信接続の切断通知の受信時点から一定期間内に、当該断通知に該当する無線端末装置からのＩＰアドレス取得要求を受信した場合には、既に割当て済みのＩＰアドレスが応答されるので、ＩＰアドレスの再割当の処理が不要となり、応答時間を短縮することができる。
【図面の簡単な説明】
【図１】  本発明の一実施形態によるＩＰアドレス管理装置（ＩＰアドレス管理サーバ６）を適用した無線データ通信システムの構成例を示すブロック図である。
【図２】  図１に示すＩＰアドレス管理サーバ６の構成を示すブロック図である。
【図３】  図２に示すＩＰアドレス管理テーブル１３の構成例を示す図である。
【図４】  図１の無線データ通信システムにおけるＩＰアドレス管理処理の流れを示す第１のシーケンスチャートである。
【図５】  図１の無線データ通信システムにおけるＩＰアドレス管理処理の流れを示す第２のシーケンスチャートである。
【符号の説明】
１ａ，１ｂ…携帯電話機、２ａ，２ｂ・・・無線基地局、３…携帯電話網、４…中継装置、５…ＩＰ網、６…ＩＰアドレス管理サーバ、７…コンテンツサーバ、１１…通信部、１２…管理部、１３…ＩＰアドレス管理テーブル
【図１】
0003676347.tif 000002
【図２】
0003676347.tif 000003
【図３】
0003676347.tif 000004
【図４】
0003676347.tif 000005
【図５】
0003676347.tif 000006